(57)【要約】【課題】  収納スタンドを要することなく、加熱調理鍋を収納接地部に対し自立状態で載置収納することができる加熱調理鍋を提供すること。【解決手段】  鍋本体１の外側周面１Ａであって、この鍋本体１の底面１Ｂを接地部２に載置した際に邪魔にならない位置に、この鍋本体１を接地部２に対し縦設状態で載置せしめる脚部３を設ける。【選択図】      図２
2005312786.tif 000002
【特許請求の範囲】
【請求項１】
鍋本体の外側周面であって、この鍋本体の底面を接地部に載置した際に邪魔にならない位置に、この鍋本体を接地部に対し縦設状態で載置せしめる脚部を設けたことを特徴とする加熱調理鍋。
【請求項２】
前記脚部は、前記鍋本体の外側周面に水平方向に向けて突設したことを特徴とする請求項１記載の加熱調理鍋。
【請求項３】
前記脚部は、前記鍋本体の外側周面から底面側へ回動突出可能に設けたことを特徴とする請求項１記載の加熱調理鍋。
【請求項４】
前記鍋本体の上部開口部を開閉自在に閉塞する蓋体を備え、この蓋体には、前記脚部により鍋本体を接地部に対して縦設状態で載置した際、前記鍋本体の上部開口縁に掛止し得る掛止部を設けて、この掛止部により縦設載置する鍋本体と共に蓋体もこの鍋本体の上部開口部を閉塞した状態で掛止し得るように構成したことを特徴とする請求項１〜３のいずれか１項に記載の加熱調理鍋。
【請求項５】
前記掛止部は、前記蓋体を前記鍋本体に対し反転させてこの蓋体上面に設けられる摘みが鍋本体内に収納される状態とした際に鍋本体の上部開口縁に掛止し得るように構成したことを特徴とする請求項４記載の加熱調理鍋。
【発明の詳細な説明】
【技術分野】
【０００１】
本発明は、立てた状態で収納できるフライパンなどの加熱調理鍋に関するものである。
【背景技術】
【０００２】
従来から、収納スペースの有効利用を目的として、フライパンや鍋などを立てた状態で収納できる収納スタンドが実施されているが、このような収納スタンドを要せずに自立した状態で収納できる加熱調理器鍋はない。
【発明の開示】
【発明が解決しようとする課題】
【０００３】
本発明は、収納スタンドを要することなく、加熱調理鍋自身を収納接地部に対して自立状態で載置収納することができる画期的な加熱調理鍋を提供するものである。
【課題を解決するための手段】
【０００４】
添付図面を参照して本発明の要旨を説明する。
【０００５】
鍋本体１の外側周面１Ａであって、この鍋本体１の底面１Ｂを接地部２に載置した際に邪魔にならない位置に、この鍋本体１を接地部２に対し縦設状態で載置せしめる脚部３を設けたことを特徴とする加熱調理鍋に係るものである。
【０００６】
また、前記脚部３は、前記鍋本体１の外側周面１Ａに水平方向に向けて突設したことを特徴とする請求項１記載の加熱調理鍋に係るものである。
【０００７】
また、前記脚部３は、前記鍋本体１の外側周面１Ａから底面１Ｂ側へ回動突出可能に設けたことを特徴とする請求項１記載の加熱調理鍋に係るものである。
【０００８】
また、前記鍋本体１の上部開口部を開閉自在に閉塞する蓋体４を備え、この蓋体４には、前記脚部３により鍋本体１を接地部２に対して縦設状態で載置した際、前記鍋本体１の上部開口縁に掛止し得る掛止部４Ａを設けて、この掛止部４Ａにより縦設載置する鍋本体１と共に蓋体４もこの鍋本体１の上部開口部を閉塞した状態で掛止し得るように構成したことを特徴とする請求項１〜３のいずれか１項に記載の加熱調理鍋に係るものである。
【０００９】
また、前記掛止部４Ａは、前記蓋体４を前記鍋本体１に対し反転させてこの蓋体４上面に設けられる摘み４Ｂが鍋本体１内に収納される状態とした際に鍋本体１の上部開口縁に掛止し得るように構成したことを特徴とする請求項４記載の加熱調理鍋に係るものである。
【発明の効果】
【００１０】
本発明は上述のように構成したから、鍋本体の底面を接地部に載置した際に、鍋本体の外側周面の脚部が邪魔にならないので、一般的なフライパンや鍋などと同様の普段使いができ、しかも、収納時には、収納スタンド等を要することなく、脚部を接地部に接地することで鍋本体が接地部に対し縦設状態で載置（自立）するため、収納スタンド等を利用する場合と比べても収納スペースを省スペース化でき、それだけ収納空間を有効利用できることになる極めて実用性に秀れた画期的な加熱調理鍋となる。
【００１１】
また、請求項２，３記載の発明においては、前記作用・効果を確実に発揮する脚部を簡易に設計実現可能となる一層実用性に秀れた構成の加熱調理鍋となる。
【００１２】
また、請求項４記載の発明においては、蓋体共々収納スペースを省スペース化できるので、一層収納空間を有効利用可能となる極めて実用性に秀れた構成の加熱調理鍋となる。
【００１３】
また、請求項５記載の発明においては、蓋体を伴った収納時の収納スペースを一層省スペース化できる極めて実用性に秀れた蓋体を備えた加熱調理鍋となる。
【発明を実施するための最良の形態】
【００１４】
好適と考える本発明の実施形態（発明をどのように実施するか）を、図面に基づいて本発明の作用を示して簡単に説明する。
【００１５】
鍋本体１の底面１Ｂを接地部２に載置した際に、鍋本体１の外側周面１Ａの脚部３は邪魔にならず、従って一般的なフライパンや鍋などと同様の普段使いができる。
【００１６】
一方、収納時には、脚部３を接地部２に接地すると、鍋本体１が接地部２に対し縦設状態で載置されることになる。従って、本加熱調理鍋の収納に要するスペースが省スペース化する。
【００１７】
また、本発明は、この収納時に鍋本体１が自立載置する構成のため、従来の収納スタンド等を用いる場合と比べても、この収納スタンド等の載置スペースを要しない分収納スペースが省スペース化することになり、限られた収納空間を極めて有効に利用できることになる。
【００１８】
また、例えば、前記脚部３は、前記鍋本体１の外側周面１Ａに水平方向に向けて突設すれば、鍋本体１の底面を接地部２に接地した際に邪魔にならず、且つ鍋本体１が接地部２に対し縦設状態で載置する脚部３を簡易に設計実現可能となる。
【００１９】
また、例えば、前記脚部３は、前記鍋本体１の外側周面１Ａから底面１Ｂ側へ回動突出可能に設ければ、例えば、実施例４，５で示すような、鍋本体１の底面を接地部２に接地した際には邪魔にならない位置に回動退避することができ、且つ鍋本体１の底面１Ｂ側へ回動突出させることで、鍋本体１を接地部２に対し縦設状態で載置することできる脚部３を簡易に設計実現可能となる。
【００２０】
また、例えば、前記鍋本体１の上部開口部を開閉自在に閉塞する蓋体４を備え、この蓋体４には、前記脚部３により鍋本体１を接地部２に対して縦設状態で載置した際、前記鍋本体１の上部開口縁に掛止し得る掛止部４Ａを設けて、この掛止部４Ａにより縦設載置する鍋本体１と共に蓋体４もこの鍋本体１の上部開口部を閉塞した状態で掛止し得るように構成すれば、鍋本体１と共にこの蓋体４も縦設状態で収納できるので、収納スペースが省スペース化する蓋付の加熱調理鍋となる。
【００２１】
また、例えば、前記掛止部４Ａは、前記蓋体４を前記鍋本体１に対し反転させてこの蓋体４上面に設けられる摘み４Ｂが鍋本体１内に収納される状態とした際に鍋本体１の上部開口縁に掛止し得るように構成すれば、鍋本体１に対し蓋体４の摘み４Ｂが外方へ突出しない状態で収納できるので、この摘み４Ｂが突出しない分収納スペースが一層省スペース化することになる。
【実施例１】
【００２２】
本発明の具体的な実施例１について図１，図２に基づいて説明する。
【００２３】
本実施例は、鍋本体１が方形状を呈するフライパンに適用した場合を示している。図中符号１Ｃは鍋本体１の上部開口部の全周に設けた鍔部、５は握柄である。
【００２４】
本実施例は、鍋本体１の外側周面１Ａであって、この鍋本体１の底面１Ｂを接地部２に載置した際に邪魔にならない位置に、この鍋本体１を接地部２に対し縦設状態で載置するための脚部３を設けている。
【００２５】
具体的には、脚部３は、鍋本体１の外側周面１Ａに水平方向に向けて突設している。
【００２６】
更に詳しくは、鍋本体１の左右側部の外側周面１Ａのうち、片側（図１において手前側）の間隔を置いた前後二箇所に板状を呈する脚部３を付設して、この鍋本体１の外側周面１Ａより脚部３を水平方向に突設した構成としている。
【００２７】
また、この板状の脚部３は、鍋本体１の高さ幅と略同じ高さ幅を有するように設定すると共に、この脚部３が底面１Ｂより下方へ突出しないようにして鍋本体１の外側周面１Ａに付設し、これにより鍋本体１の底面１Ｂを接地部２に接地した際（例えば、使用時）には、この脚部３が邪魔にならず、従来のフライパンと同様に安定的に載置できる構成としている。
【００２８】
また、この板状の脚部３は、水平方向に突出する突出端部（接地端部３Ａ）が鍋本体１の底面１Ｂに対して略直角関係となるように構成し、これにより収納時には、この脚部３の接地端部３Ａを接地部２（接地面）に接地することで鍋本体１が傾斜せずに略直立縦設状態で載置され、この縦設状態が極めて安定的となる構成としている。
【００２９】
また、本実施例は、鍋本体１の前記鍔部１Ｃの外側面と脚部３の接地端部３Ａとが面一状態となるように構成した場合を示している。従って、接地端部３Ａを接地部２に接地した際には、鍔部１Ｃも接地部２に接地することとなって、直交状態にあるこの接地端部３Ａと鍔部１Ｃとにより非常に安定的な縦設収納状態を実現する構成としている。
【００３０】
尚、脚部３の接地端部３Ａと鍔部１Ｃとは、面一でなくとも良い。即ち、脚部３の接地端部３Ａが鍔部１Ｃより外側に突出してこの接地端部３Ａだけで接地部２に接地する構成としても良いし、接地端部３Ａより鍔部１Ｃが外側に突出してこの接地端部３Ａと鍔部１Ｃとで接地部２に接地する構成としても良い（この場合、鍋本体１は接地部２に対してやや傾斜状態となるが、請求項１中の「縦設状態」なる記載は、立直状態だけでなく、このように傾斜状態で立てた状態をも含む意味合いで用いている。また、この場合は、脚部３の接地端部３Ａが鍋本体１の底面１Ｂに対して略直角関係でなくとも良い。）。
【実施例２】
【００３１】
本発明の具体的な実施例２について図３〜図６に基づいて説明する。
【００３２】
本実施例は、実施例１において、前記鍋本体１の上部開口部を開閉自在に閉塞する蓋体４を備えた場合である。
【００３３】
この蓋体４は、鍋本体１を閉塞し得る方形状であって、表側の中心部に摘み４Ｂを形成した構成としている。
【００３４】
また、この蓋体４には、前記脚部３により鍋本体１を接地部２に対して縦設状態で載置した際、前記鍋本体１の上部開口縁に掛止し得る掛止部４Ａを設けて、この掛止部４Ａにより縦設載置する鍋本体１と共に蓋体４もこの鍋本体１の上部開口部を閉塞した状態で掛止し得るように構成している。
【００３５】
具体的には、図４に示すように、この蓋体４の周縁部に断面フック形の掛止部４Ａを突設している。
【００３６】
更に詳しくは、鍋本体１の左右側部に対応する蓋体４の長手方向外縁のうちの片側縁（図３において手前側外縁）に掛止部４Ａを形成している。
【００３７】
また、この掛止部４Ａは、前後の前記脚部３間の間隔幅と略合致する幅を有するように形成し、この掛止部４Ａを前後の脚部３間に配して前記鍔部１Ｃに掛止すると、掛止部４Ａの前後端部が前後の脚部３に当接することによって蓋体４の移動が阻止される構成としている。即ち、蓋体４は、鍋本体１に対し前後方向にほとんど移動しない位置決め状態で掛止られて脱落しない構成としている。
【００３８】
また、前記掛止部４Ａは、図６に示すように、前記蓋体４を前記鍋本体１に対し上下反転させてこの蓋体４上面に設けられる摘み４Ｂが鍋本体１内に収納される状態とした際に鍋本体１の上部開口縁の前記鍔部１Ｃに掛止し得るように構成している。
【００３９】
従って、摘み４Ｂが蓋体４の外方へ突出しない状態で掛止られるため、この摘み４Ｂの高さ分（突出幅分）省スペース化を実現した構成としている。
【実施例３】
【００４０】
本発明の具体的な実施例３について図７に基づいて説明する。
【００４１】
本実施例は、丸型のフライパンに適用したものであり、実施例１の脚部３を丸型の鍋本体１に対して付設した場合である。
【００４２】
具体的には、鍋本体１の左右側部の外側周面１Ａのうち、片側（図７において手前側）の前後に間隔を置いた二箇所に、脚部３を水平方向に向けて突出状態に付設した構成としている。
【００４３】
尚、本実施例の場合、鍋本体１に鍔部１Ｃは設けず、前後の脚部３（接地端部３Ａ）だけが接地部２に接地する構成である。
【実施例４】
【００４４】
本発明の具体的な実施例４について図８に基づいて説明する。
【００４５】
本実施例は、実施例１の鍋本体１に対して異なる構造の脚部３を設けた場合である。
【００４６】
具体的には、脚部３を前記鍋本体１の外側周面１Ａに回動自在に設けて、この脚部３使用時には、鍋本体１の外側周面１Ａから底面１Ｂ側へ回動突出させ、脚部３不使用時には、回動退避して鍋本体１の外側周面１Ａに沿設状態とし得るように構成している。
【００４７】
更に詳しくは、鍋本体１の左右側部の外側周面１Ａのうちの片側（図８において手前側）に存する前記鍔部１Ｃ（本実施例では鍔部１Ｃも外側周面１Ａの一部と考えている。）に、帯板状の脚部３をその長さ方向の中間位置で軸着し、この中間軸部を支点とすると共に鍔部１Ｃの外側面に沿ってこの帯板状の脚部３が回動し得るように構成している。
【００４８】
この脚部３の使用方法を説明すると、普段使いの際（使用時）には、帯板状の脚部３を回動して前記鍔部１Ｃの長さ方向に沿った状態とすることで、脚部３が邪魔にならず（脚部３が底面１Ａより下方へ突出せず）、且つ目立たずに体裁を害しないことになる構成としている。
【００４９】
収納時には、この帯板状の脚部３を回動して前記鍔部１Ｃの長さ方向と略直交する状態とすると、この脚部３の外側板面（接地面部３Ｂ）が鍋本体１の左右横幅方向に対し直交状態となると共に、この脚部３の両端部が鍋本体１の上部側と底面１Ｂ側へと突出するため、この脚部３の接地面部３Ｂを接地部２（接地面）に接地すると、鍋本体１を縦設状態で安定的に載置し得る構成としている。
【実施例５】
【００５０】
本発明の具体的な実施例５について図９〜図１１に基づいて説明する。
【００５１】
本実施例は、実施例３の鍋本体１に異なる構造の脚部３を設けた場合である。
【００５２】
具体的には、脚部３を前記鍋本体１の外側周面１Ａに回動自在に設けて、この脚部３使用時には、鍋本体１の外側周面１Ａから底面１Ｂ側へ回動突出させ、脚部３不使用時には、回動退避して鍋本体１の外側周面１Ａに沿設状態とし得るように構成している。
【００５３】
更に詳しくは、図９に示すように、鍋本体１の左右側部の外側周面１Ａのうちの片側（図９において手前側）に取付筒６を付設している。
【００５４】
この取付筒６には、この取付筒６より長さのある線材を挿通した上、この取付筒６の両端部より突出する線材の両端部を同じ方向へ屈曲形成してこの線材の両端部を取付筒６に対し斜設状態に設けることで、この線材を取付筒６に対し抜止状態且つ回動自在に構成し、この取付筒６の両端部より突出する線材の両斜設杆部を前記脚部３としている。
【００５５】
この脚部３の使用方法を説明すると、普段使いの際（使用時）には、図１０に示すように、脚部３を上方へ回動して鍋本体１の底面１Ｂよりも下方へ突出しない状態とすることで、脚部３が邪魔にならない。
【００５６】
収納時には、図１１に示すように、脚部３を下方へ回動して鍋本体１の底面１Ｂより斜め下方へ突設するように配することで、鍋本体１の上部開口部付近の外側周面と、この双方の脚部３とが接地部２に接地してこの三点支持により鍋本体１を縦設状態で載置し得る構成としている。
【００５７】
詳述した前記実施例１〜５によれば、いずれも本発明を簡易に設計実現可能な構成であり、量産性に秀れ、安価な製品を提供可能となる。
【００５８】
尚、本発明は、実施例１〜５に限られるものではなく、各構成要件の具体的構成は適宜設計し得るものである。
【００５９】
例えば、フライパン以外の深底の鍋に本発明を適用しても良いが、本実施例のように浅底のフライパンに適用すると、縦設状態で接地した際の収納スペースを非常に省スペース化できるので実用的である。
【図面の簡単な説明】
【００６０】
【図１】実施例１を示す斜視図である。
【図２】実施例１の収納状態を示す斜視図である。
【図３】実施例２を示す斜視図である。
【図４】図３の説明断面図である。
【図５】実施例２の収納状態を示す斜視図である。
【図６】図５の説明断面図である。
【図７】実施例３を示す斜視図である。
【図８】実施例４を示す斜視図である。
【図９】実施例５を示す斜視図である。
【図１０】実施例５の収納状態を示す側面図である。
【図１１】実施例５の使用状態を示す側面図である。
【符号の説明】
【００６１】
１  鍋本体
１Ａ  外側周面
１Ｂ  底面
２  接地部
３  脚部
４  蓋体
４Ａ  掛止部
４Ｂ  摘み
【図１】
2005312786.tif 000003
【図２】
2005312786.tif 000004
【図３】
2005312786.tif 000005
【図４】
2005312786.tif 000006
【図５】
2005312786.tif 000007
【図６】
2005312786.tif 000008
【図７】
2005312786.tif 000009
【図８】
2005312786.tif 000010
【図９】
2005312786.tif 000011
【図１０】
2005312786.tif 000012
【図１１】
2005312786.tif 000013